【手続補正書】
【提出日】平成28年3月23日(2016.3.23)
【手続補正１】
【補正対象書類名】特許請求の範囲
【補正対象項目名】全文
【補正方法】変更
【補正の内容】
【特許請求の範囲】
【請求項１】
音響映像コンテンツの視聴レベルを設定する方法であって、前記音響映像コンテンツは、それぞれが複数の視聴レベルに関連付けられた複数のフレームを含み、前記方法は、
前記複数のフレームから２つまたはそれ以上のフレームを表示するステップと、
前記表示されたフレームから１つのフレームを選択するステップと、
前記音響映像コンテンツの視聴レベルを、前記選択されたフレームに関連付けられた視聴レベルに設定するステップと、
を含む、前記方法。
【請求項２】
前記表示された２つまたはそれ以上のフレームからの１つのフレームは、前記音響映像コンテンツの音響映像セグメントに関連付けられる、請求項１に記載の方法。
【請求項３】
前記音響映像コンテンツの前記音響映像セグメントは、コマンドの導入の後に、または前記表示するステップの後に再生される、請求項２に記載の方法。
【請求項４】
前記表示された２つまたはそれ以上のフレームからのいくつかのフレームは、前記音響映像コンテンツの音響映像セグメントにそれぞれ関連付けられている、請求項２に記載の方法。
【請求項５】
前記音響映像セグメントは、前記表示するステップにおいて同時に再生される、請求項４に記載の方法。
【請求項６】
前記音響映像セグメントは、コマンドの導入と同時に再生される、請求項４に記載の方法。
【請求項７】
前記複数のフレームの各々に関連付けられている前記視聴レベルが自動的に決定される、請求項１から６のいずれかに記載の方法。
【請求項８】
前記複数のフレームの各々に関連付けられている前記視聴レベルが手動で入力される、請求項１から６のいずれかに記載の方法。
【請求項９】
前記音響映像コンテンツに関する初期視聴レベルを設定するステップを含む、請求項１から８のいずれかに記載の方法。
【請求項１０】
前記２つまたはそれ以上のフレームは、視聴レベルの増加順に表示される、請求項１から８のいずれかに記載の方法。
【請求項１１】
前記２つまたはそれ以上のフレームに属しているフレームであって、前記初期視聴レベルよりも高い視聴レベルに関連付けられているフレームが不明瞭に表示される、請求項９に記載の方法。
【請求項１２】
前記表示された２つまたはそれ以上のフレームの前記視聴レベルは、共通のカテゴリに関連付けられている、請求項１から１１のいずれかに記載の方法。
【請求項１３】
音響映像コンテンツの視聴レベルを設定するように構成されたシステムであって、前記音響映像コンテンツは、それぞれが複数の視聴レベルに関連付けられた複数のフレームを含み、前記システムは、
前記複数のフレームから２つまたはそれ以上のフレームを表示するように構成されたレンダリング部と、
前記複数のフレームから１つのフレームを選択し、前記音響映像コンテンツの視聴レベルを、前記選択されたフレームに関連付けられた視聴レベルに設定するように構成されたプロセッサと、
を含む、前記システム。
【請求項１４】
前記表示された２つまたはそれ以上のフレームからの各フレームは、前記音響映像コンテンツの音響映像セグメントに関連付けられ、前記レンダリング部は、コマンドの導入の後に、または前記表示の後に、前記音響映像コンテンツの１つの前記音響映像セグメントを再生するように構成される、請求項１３に記載のシステム。
【請求項１５】
前記表示された２つまたはそれ以上のフレームからの各フレームは、前記音響映像コンテンツの音響映像セグメントに関連付けられ、前記レンダリング部は、コマンドの導入の後に、または前記表示の後に、前記音響映像セグメントを同時に再生するように構成される、請求項１３に記載のシステム。
【請求項１６】
前記プロセッサは、前記音響映像コンテンツに関する初期視聴レベルを設定するように構成される、請求項１３から１５のいずれかに記載のシステム。
【請求項１７】
前記レンダリング部は、前記２つまたはそれ以上のフレームを視聴レベルの増加順に表示するように構成される、請求項１３から１５のいずれかに記載のシステム。
【請求項１８】
前記レンダリング部は、前記２つまたはそれ以上のフレームに属しているフレームであって、前記初期視聴レベルよりも高い視聴レベルに関連付けられているフレームを不明瞭に表示するように構成される、請求項１６に記載のシステム。
【手続補正２】
【補正対象書類名】明細書
【補正対象項目名】０００２
【補正方法】変更
【補正の内容】
【０００２】
子供が不適切な音響映像コンテンツを視聴するのを防ぐために、過去にいくつかの技術的解決法が提案されてきた。ある解決法は、視聴者が視聴しようとしているコンテンツが不快感を与える性質のものである可能性があることを視聴者に示すように、映像に重ね合わされるロゴを追加するものである。ロゴは、例えば米国映画協会（ＭＰＡＡ：Motion Picture Association of America）などの評価システムに従った評価を示すことができる。しかしながら、標準システムのように、採用される評価システムの正確さがどのようなものであっても、人は異なる感性を有しているので、必ずしも全ての人が同じ音響映像コンテンツに対して同じ評価を与えるとは限らない。その上、評価システムは最小公分母に過ぎない。理想的には、親が、音響映像コンテンツが自身の子供にとって適切かどうかについて意見を形成する前に全ての音響映像コンテンツを視聴するべきである。この場合の問題は、非常に多くの時間を要することであり、このことがこの解決法を非現実的なものにしている。しかしながら、このことは、音響映像コンテンツを評価するために音響映像コンテンツ自体がいかに重要であるかということを示している。「１枚の絵は１千の言葉に匹敵する」ということわざに基づいて、特許文献１に説明されている別の解決法は、例示のコンテンツに基づいてペアレンタルロックレベルを設定するものである。音響映像コンテンツ１０２の抽出された例がユーザに示され、その例示に基づいて、ユーザは、その音響映像コンテンツの視聴をブロックするか否かを決定する。音響映像コンテンツがそのメタデータに評価を含む場合には、この評価は将来の使用のために保持される。類似の評価を有する更なる音響映像コンテンツがブロードキャストされるとき、この音響映像コンテンツは自動的にブロックされる。この解決法は、親が、多数の複雑な評価の重要性を知る必要がないという利点を有する。なぜなら、例示のコンテンツがその重要性を親に直接的に示しているからである。しかしながら、例えばバイオレンスのスケールに対して、評価システムによって同様に評価された２つの音響映像コンテンツが、同一人によって異なって認識されることが起こり得る。また、音響映像コンテンツが全く評価されていないこともあり得る。このような場合、親は、全ての音響映像コンテンツを視聴するという古い解決法に戻らなければならないが、やはり、親にはそのようなことをする時間は無い。結局、親は、２つの解決法、すなわち、意見を形成するために全ての音響映像コンテンツを視聴することと、相対的に当てにならない評価システムに頼ることのいずれかを選択しなければならなくなる。
【手続補正３】
【補正対象書類名】明細書
【補正対象項目名】００３０
【補正方法】変更
【補正の内容】
【００３０】
任意選択で、新しい音響映像コンテンツ１０２の導入部分において、初期視聴レベル２０２が設定されると、新しい音響映像コンテンツ１０２は解析され、音響映像セグメントに関連付けられるフレームが抽出される。フレームの視聴レベル２０２が初期視聴レベル２０２よりも高いフレームは不明瞭に表示されるように、これらのフレームの一部または全てが表示される。かかる動作により、ユーザは、自身を過剰に不快にさせるフレームまたは音響映像セグメントに晒されなくなる。
＜付記１＞
音響映像コンテンツの視聴レベルを設定する方法であって、前記音響映像コンテンツは、それぞれが複数の視聴レベルに関連付けられた複数のフレームを含み、前記方法は、
前記複数のフレームから２つまたはそれ以上のフレームを表示するステップと、
前記表示されたフレームから１つのフレームを選択するステップと、
前記音響映像コンテンツの視聴レベルを、前記選択されたフレームに関連付けられた視聴レベルに設定するステップと、
を含む、前記方法。
＜付記２＞
前記表示された２つまたはそれ以上のフレームからの１つのフレームは、前記音響映像コンテンツの音響映像セグメントに関連付けられる、付記１に記載の方法。
＜付記３＞
前記音響映像コンテンツの前記音響映像セグメントは、コマンドの導入の後に、または前記表示するステップの後に再生される、付記２に記載の方法。
＜付記４＞
前記表示された２つまたはそれ以上のフレームからのいくつかのフレームは、前記音響映像コンテンツの音響映像セグメントにそれぞれ関連付けられている、付記２に記載の方法。
＜付記５＞
前記音響映像セグメントは、前記表示するステップにおいて同時に再生される、付記４に記載の方法。
＜付記６＞
前記音響映像セグメントは、コマンドの導入と同時に再生される、付記４に記載の方法。
＜付記７＞
前記複数のフレームの各々に関連付けられている前記視聴レベルが自動的に決定される、付記１から６のいずれかに記載の方法。
＜付記８＞
前記複数のフレームの各々に関連付けられている前記視聴レベルが手動で入力される、付記１から６のいずれかに記載の方法。
＜付記９＞
初期視聴レベルを設定する先行ステップを含む、付記１から８のいずれかに記載の方法。
＜付記１０＞
前記２つまたはそれ以上のフレームは、視聴レベルの増加順に表示される、付記１から８のいずれかに記載の方法。
＜付記１１＞
前記２つまたはそれ以上のフレームに属しているフレームであって、前記初期視聴レベルよりも高い視聴レベルに関連付けられているフレームが不明瞭に表示される、付記９に記載の方法。
【手続補正４】
【補正対象書類名】図面
【補正対象項目名】図２
【補正方法】変更
【補正の内容】
【図２】
2013201759.tif 000001